(57)【要約】【課題】    上質紙又はＯＣＲ紙等の印刷用紙を用いたオフセット印刷の製版用版下紙フィルム及びその製造方法を提供すること。【解決手段】    オフセット印刷用の刷版に印刷原稿を転写する版下紙フィルムが、上質紙又はＯＣＲ紙等の印刷用紙に透かしインキを印刷塗布し、該印刷用紙の透かしインキ塗布面の反対面に印刷原稿をプリントしたものである。また、版下紙フィルムの製造が、上質紙又はＯＣＲ紙等の印刷用紙に透かしインキを印刷塗布する第１工程と、透かしインキを印刷塗布した印刷用紙を直射日光及び高温・多湿を避けた冷暗場所で養生をする第２工程と、養生をした印刷用紙の透かしインキ塗布面の反対面にプリンターを使用して印刷原稿をプリントする第３工程とからなる。【選択図】    図１
2008197207.tif 000002
【特許請求の範囲】
【請求項１】
オフセット印刷用の刷版に印刷原稿を転写する版下フィルムが、上質紙又はＯＣＲ紙等の印刷用紙に透かしインキを印刷塗布し、該印刷用紙の透かしインキ塗布面の反対面に印刷原稿をプリントしたものであることを特徴とするオフセット印刷の製版用版下紙フィルム。
【請求項２】
オフセット印刷用の刷版に印刷原稿を転写する版下フィルムの製造が、上質紙又はＯＣＲ紙等の印刷用紙に透かしインキを印刷塗布する第１工程と、透かしインキを印刷塗布した上記印刷用紙を直射日光及び高温・多湿を避けた冷暗場所で養生をする第２工程と、養生された印刷用紙の透かしインキ塗布面の反対面にプリンターを使用して印刷原稿をプリントする第３工程とからなることを特徴とするオフセット印刷の製版用版下紙フィルムの製造方法。
【請求項３】
透かしインキは、印刷用紙のインキ塗布面に０．００１〜０．００５ｍｍの厚さに、好ましくは０．００３ｍｍの厚さに印刷塗布されることを特徴とする請求項１又は２に記載のオフセット印刷の製版用版下紙フィルム及びその製造方法。
【発明の詳細な説明】
【技術分野】
【０００１】
本発明は、オフセット印刷の製版用版下紙フィルムに関しており、詳しくは、上質紙又はＯＣＲ紙等の印刷用紙を使用した版下紙フィルム及びその製造方法に関している。
【背景技術】
【０００２】
オフセット印刷において、刷版に印刷原稿を転写する版下フィルムは、自社でフィルム出力装置を備えていない限り、印刷データを出力センターと称するプリント作業を行う専門業者に送り、当該出力センターによって製造して貰うものであった。版下フィルムに印刷原稿をプリントするに際し、パソコン用のプリンターが使用できれば経費が安く済むことは確かであるが、この場合は、版下用のフィルムがプラスチックフィルムであることもあって、フィルムにトナーが付着し難くオフセット印刷に適したものが得られないといった問題があった。
【０００３】
このため、フィルム出力装置を所有しない印刷業者は、オフセット印刷に用いる版下フィルムのプリント作業を出力センターに依存せざるを得ないのが現状である。
【０００４】
ところで、フィルム出力装置は、現時点で価格が１０００万円以上もする高価なものであり、また、出力センターによる版下フィルムのプリント作業は、製作時間自体は約１時間位であるが、引取り又は配達時間を要するだけでなく、製造単価もＡ４版で１枚当りの料金が１０００〜２５００円程度を要している。しかし、上述したように、フィルム出力装置を持たない印刷業者は、版下フィルムのプリント作業は出力センターに依頼するものと認識しているので、現状では不便を強いられているが改善を試みることは行われていなかった。
【０００５】
本願発明者は、版下フィルムとして上質紙又はＯＣＲ紙等の印刷用紙を使用し、パソコン用プリンターによってプリントすることが可能であれば、印刷用紙やパソコン用プリンターは、いずれも身近にあって日常的なものであるから、製造時間の短縮と製造単価の軽減が図れることに着目し、従来のプラスチックフィルムに代えて印刷用紙にプリントしてみたところ、刷版に対してある程度は転写できたが鮮明な転写ができなかった。それは、上質紙又はＯＣＲ紙のような印刷用紙の場合は、光を通し難いものであるから透明フィルムのように鮮明な転写ができないからであった。
【０００６】
従来技術において、上質紙に印刷して透かし効果が得られる透かし印刷用インキは、一例として特許文献１に記載されたものが知られているが、透かしインキをオフセット印刷の製版用版下紙フィルムに利用したことはなかった。
【特許文献１】特開２０００−２９０５７１号公報
【発明の開示】
【発明が解決しようとする課題】
【０００７】
本発明の課題は、上質紙又はＯＣＲ紙等の印刷用紙を用いたオフセット印刷の製版用版下紙フィルム及びその製造方法を提供しようとするものである。
【課題を解決するための手段】
【０００８】
解決手段の第１は、オフセット印刷用の刷版に印刷原稿を転写する版下フィルムが、上質紙又はＯＣＲ紙等の印刷用紙に透かしインキを印刷塗布し、該印刷用紙の透かしインキ塗布面の反対面に印刷原稿をプリントしたものであることを特徴とするものである。
【０００９】
解決手段の第２は、オフセット印刷用の刷版に印刷原稿を転写する版下フィルムの製造が、上質紙又はＯＣＲ紙等の印刷用紙に透かしインキを印刷塗布する第１工程と、透かしインキを印刷塗布した上記印刷用紙を直射日光及び高温・多湿を避けた冷暗場所で養生をする第２工程と、養生された印刷用紙の透かしインキ塗布面の反対面にプリンターを使用して印刷原稿をプリントする第３工程とからなることを特徴とするものである。
【００１０】
解決手段の第３は、解決手段の第１又は第２において、透かしインキを印刷用紙のインキ塗布面に０．００１〜０．００５ｍｍの厚さに、好ましくは０．００３ｍｍの厚さに印刷塗布することを特徴とするものである。
【発明の効果】
【００１１】
本発明は、オフセット印刷の刷版に印刷原稿を転写する版下フィルムが、上質紙又はＯＣＲ紙等の印刷用紙にパソコン用のプリンターを使用してプリントするだけで簡単に製造できるものであり、印刷用紙及びパソコン用プリンターは、いずれも手近にあるものであるから、印刷データを出力センターに送って製造して貰っていた従来とは異なり、製造コストが低廉であるだけでなく、製造時間が飛躍的に短縮できることの効果を奏するものである。
【００１２】
また、従来の版下フィルムは、プラスチックフィルムであったから、不要になった場合に自由に焼却処分ができなかったが、本発明の版下紙フィルムは、上質紙又はＯＣＲ紙等の印刷用紙であるから、使用後は自社において焼却処分が可能であり、公害問題を引き起こすことなく自然環境を破壊しないことの効果を奏するものである。
【発明を実施するための最良の形態】
【００１３】
図１は、本発明の製版用版下紙フィルムを示すものであって、版下紙フィルム１は、上質紙又はＯＣＲ紙等の印刷用紙に透かしインキを印刷塗布し、透かしインキ塗布面の反対面に印刷原稿２をプリントしたものである。ここで、「ＯＣＲ紙」とは、コンピュータ用に開発された用紙であって伸縮し難い特長を有しているものである。
【００１４】
また、版下紙フィルム１の印刷原稿２は、プリント面を刷版に密着させて露光機により露光させるものであるから、印刷原稿２は、当該版下紙フィルム１に反転状態にしてプリントをする。ここで、「刷版」とは、オフセット印刷機にセットしてオフセット印刷をする印刷原版のことである。
【００１５】
上記刷版に印刷原稿を転写するには、版下紙フィルム１の印刷原稿２のプリント面を当該刷版に密着して露光機により露光し、次いで、露光した刷版を現像液に浸し、印刷原稿以外の汚れが除去されていることを確認して印刷原版とする。
【００１６】
実施形態において、上質紙は、重量５５〜９０ｇ／ｍ2，厚さ０．０７５〜０．１２３ｍｍのものを使用し、また、透かしインキは、厚さ０．００１〜０．００５ｍｍの範囲で印刷塗布する。
【００１７】
透かしインキを印刷塗布した印刷用紙は、直射日光及び高温・多湿を避けた場所で養生をする。養生後の印刷用紙は、透かしインキのインキ塗布面にパソコン用プリンターを使用して印刷原稿をプリントする。ただし、プリントされた印刷原稿の画像は反転状態にする。
【００１８】
版下紙フィルム１にプリントされた印刷原稿を刷版に転写するには、刷版に版下紙フィルム１の印刷原稿プリント面を密着し、露光機を使用して露光し、次いで、印刷原稿が転写された刷版を現像液に浸して印刷原稿以外の汚れを落す。
【実施例１】
【００１９】
上質紙は、王子製紙の四六版，重量５５ｇ／ｍ2，厚さ０．０７５ｍｍのものを使用し、また、透かしインキは、東洋インキ製の「ＳＭＸ透かしインキ」を使用した。
【００２０】
第１工程は、印刷用紙のインキ塗布面を予め溶剤を使用して汚れを取り除き、透かしインキを印刷塗布する工程であり、実施例では０．００３ｍｍ程度の厚さに印刷した。
【００２１】
第２工程は、透かしインキを印刷塗布した印刷用紙を養生する工程であり、実施例では透かしインキ印刷後の印刷用紙を包装し、直射日光及び高温・多湿を避けた場所で約４８時間養生をした。
【００２２】
第３工程は、養生後の印刷用紙に印刷原稿をプリントする工程であり、実施例では、印刷用紙の透かしインキ塗布面の反対面にパソコン用プリンターを使用して印刷原稿をプリントした。ただし、プリントされた印刷原稿の画像は反転状態にした。
【００２３】
第１工程ないし第３工程を経て版下紙フィルム１が製造される。次に、版下紙フィルム１プリントされた印刷原稿を刷版に転写するには、刷版に版下紙フィルム１の印刷原稿プリント面を密着し、露光機を使用して約１０分間露光し、次いで、印刷原稿が転写された刷版を現像液に２分間程度浸して印刷原稿以外の汚れを落す。
【００２４】
刷版の印刷原稿の転写面から不要な汚れが除去されていることが確認できれば印刷原版となる刷版が完成する。オフセット印刷機に刷版をセットしてオフセット印刷を行う印刷工程は従来どおりである。
【００２５】
実施例において、上質紙は重量５５ｇ／ｍ2のものを使用したが、皺になるのを防止するには、これよりやや厚手の用紙が良く、９０ｇ／ｍ2程度までのものが使用可能である。また、ＯＣＲ紙は、特殊製紙（静岡県三島市）の用紙が適している。
【図面の簡単な説明】
【００２６】
【図１】印刷原稿をプリントした状態を示す版下紙フィルムの斜視図。
【符号の説明】
【００２７】
１  版下紙フィルム
２  印刷原稿
【図１】
2008197207.tif 000003